【手続補正書】
【提出日】平成19年11月21日(2007.11.21)
【手続補正１】
【補正対象書類名】特許請求の範囲
【補正対象項目名】請求項１６
【補正方法】変更
【補正の内容】
【請求項１６】
通信端末装置に搭載されたコンピュータに、
使用者の状態情報を検出する検出ステップと、
前記検出ステップおいて検出した前記状態情報と所定の付加情報とを関連付けて第１の記憶手段に記録する第１の記録ステップと、
前記検出ステップにおいて検出した前記状態情報と、予め決められた抽出条件とを含む情報提供要求を送信する要求送信ステップと、
前記要求送信ステップにおいて送信した前記情報提供要求に応じて送信されてくる提供情報を受信する情報受信ステップと、
前記情報受信ステップにおいて受信した前記提供情報を、あるいは、受信した前記提供情報によって特定される情報を使用者に対して提示する提示ステップと、
他機からの使用者の状態情報と予め決められた抽出条件とを含む情報提供要求を受信する要求受信ステップと、
前記要求受信ステップにおいて前記情報提供要求を受信した場合に、当該情報提供要求に含まれる前記状態情報と前記抽出条件とに基づいて、前記第１の記憶手段に記憶されている情報の中から提供すべき情報を抽出する抽出ステップと、
前記抽出ステップにおいて抽出した情報から提供情報を形成し、これを要求元に送信する情報送信ステップと
を実行させることを特徴とする情報提供プログラム。
【手続補正２】
【補正対象書類名】明細書
【補正対象項目名】０００５
【補正方法】変更
【補正の内容】
【０００５】
この特許文献１に記載の技術を用いることによって、類似利用者の発見を容易にし、類似利用者の興味から自分が必要とする情報の検索を簡単化することができる。すなわち、従来、利用者は、提供者側からの推薦情報等については単に提供を受けることしかできなかったのに対して、能動的に必要な情報を検索し、取得することができるようになる。
【手続補正３】
【補正対象書類名】明細書
【補正対象項目名】００１４
【補正方法】変更
【補正の内容】
【００１４】
また、要求受信手段を通じて情報提供要求を受信した場合には、受信した情報提供要求に含まれる状態情報と抽出条件とに基づいて、第１の記憶手段に記憶されている情報から提供すべき情報が抽出手段によって抽出され、これが情報送信手段を通じて要求元に送信される。
【手続補正４】
【補正対象書類名】明細書
【補正対象項目名】００１５
【補正方法】変更
【補正の内容】
【００１５】
このような機能を有する通信端末装置間で情報の送受信を行うことによって、提供要求の送信側の通信端末装置は、使用者の状態情報に応じて、その時に使用者が必要とする情報を適切なタイミングで提供を受けることができ、他方、提供要求の受信側の通信端末装置は、要求元の使用者の状態情報に応じて、その時に当該使用者が必要とする情報を適切なタイミングで提供することができる。
【手続補正５】
【補正対象書類名】明細書
【補正対象項目名】００１７
【補正方法】変更
【補正の内容】
【００１７】
この請求項５に記載の情報提供システムによれば、通信端末装置側においては、検出手段によって使用者の状態情報が検出され、この検出された使用者の状態情報は所定の付加情報と対応付けた履歴情報が、送信手段を通じてサーバ装置に送信され、サーバ装置において一元的に管理される。
【手続補正６】
【補正対象書類名】明細書
【補正対象項目名】００１８
【補正方法】変更
【補正の内容】
【００１８】
また、例えば、使用者からの指示に応じたタイミングで、検出手段によってその時に検出した状態情報と予め決められた抽出条件とを含む情報提供要求が要求送信手段を通じてサーバ装置に送信され、この情報提供要求に応じた提供情報がサーバ装置において抽出され、要求元の通信端末装置に対して返信される。そして、要求元の通信端末装置においては、情報提供要求に応じてサーバ装置から送信されてくる提供情報が情報受信手段を通じて受信され、この提供情報、または、この提供情報によって特定される情報が提示手段を通じて提示される。
【手続補正７】
【補正対象書類名】明細書
【補正対象項目名】００１９
【補正方法】変更
【補正の内容】
【００１９】
このように、提供要求の送信側の通信端末装置は、使用者の状態情報に応じて、その時に使用者が必要とする情報を適切なタイミングでサーバ装置から提供を受けることができ、他方、サーバ装置は、１つ以上の通信端末装置からの履歴情報を一元的に管理して、各通信端末装置からの情報提供要求の状態情報に応じて、その時に当該使用者が必要とする情報を適切なタイミングで提供することができる。
【手続補正８】
【補正対象書類名】明細書
【補正対象項目名】００２５
【補正方法】変更
【補正の内容】
【００２５】
このようにすることによって、使用者は、好み（嗜好）に応じたコンテンツデータの推薦や、人の紹介といったことではなく、そのときの気分や行動にマッチしたコンテンツを推薦することを可能にしたり、そのときの気分や行動にマッチした人を紹介してよりスムーズな情報交換を可能にしたりするなどの、新たなユーザーインターフェースを実現しようとするものである。
【手続補正９】
【補正対象書類名】明細書
【補正対象項目名】００２７
【補正方法】変更
【補正の内容】
【００２７】
従来、リアルタイムな気分（心理状態）といった情報は、あいまいなものであり、情報の抽出条件としては不向きなもののように考えられているが、この発明においては、使用者の生体情報や運動情報は、使用者の気分（心理状態）等に影響を受けて変化するものである点に着目し、使用者の気分を生体情報や運動情報の集合として判断して、同質の気分（心理状態）にある人同士で、情報の提供を行うことができるようにしようとするものである。
【手続補正１０】
【補正対象書類名】明細書
【補正対象項目名】００２８
【補正方法】変更
【補正の内容】
【００２８】
そして、この発明を具体的に実現する場合には、大きく分けると、複数の通信端末のそれぞれから、自己の生体情報、運動情報、これらを用いた抽出条件に応じた情報の提供を受けることができるようにする第１の実施の形態と、複数の通信端末の使用者の生体情報や運動情報を管理するデータベースを設け、このデータベースにアクセスして、自己の生体情報、運動情報、これらを用いた抽出条件に応じた情報の提供を受けることができるようにする第２の実施の形態とが考えられる。以下、第１の実施の形態と第２の実施の形態とに分けて詳細に説明する。
【手続補正１１】
【補正対象書類名】明細書
【補正対象項目名】００３１
【補正方法】変更
【補正の内容】
【００３１】
そして、詳しくは後述するが、この第１の実施の形態の通信端末装置１００（１）、１００（２）、１００（３）、…、１００（ｎ）のそれぞれは、ネットワーク２００に接続して他の通信端末装置との間で通信を行うことができるだけでなく、音楽データ、ＡＶ（Audio/Visual）データ、テキストデータ、プログラムなどの種々のコンテンツを再生したり実行したりして利用することができるものである。
【手続補正１２】
【補正対象書類名】明細書
【補正対象項目名】００４２
【補正方法】変更
【補正の内容】
【００４２】
生体情報エンコーダ２２は、生体情報センサ２１からの種々の生体情報の検出出力（電気信号）の供給を受けて、そのそれぞれを制御部１０において処理が可能な形式のデジタルデータに変換して、これらを制御部１０に供給する。これにより制御部１０は、使用者の種々の生体情報を把握することができるようになる。
【手続補正１３】
【補正対象書類名】明細書
【補正対象項目名】００４３
【補正方法】変更
【補正の内容】
【００４３】
運動情報センサ２３は、例えば、３軸の加速度センサであり、使用者の動作に応じて変化する検出出力を得て、これを運動情報エンコーダ２４に供給する。運動情報エンコーダ２４は、これに供給された運動情報センサ２３からの検出出力から使用者の運動テンポ（動作テンポ）と運動状態とを検出し、これらを制御部１０に供給する。
【手続補正１４】
【補正対象書類名】明細書
【補正対象項目名】００４４
【補正方法】変更
【補正の内容】
【００４４】
具体的には、運動情報エンコーダ２４は、運動情報センサ２３からの検出出力について、自己相関を求めることにより、運動情報センサ２３からの検出出力に含まれるノイズ成分を除去して、使用者の運動周期を特定し、この特定した運動周期から使用者の運動テンポを求め、これを制御部１０に供給することにより制御部１０がこれを把握する。
【手続補正１５】
【補正対象書類名】明細書
【補正対象項目名】００４６
【補正方法】変更
【補正の内容】
【００４６】
また、運動情報エンコーダ２４は、運動情報センサ２３である３軸の加速度センサの鉛直方向の検出出力の振幅レベルに基づいて、使用者が行っている運動が、ウォーキングかジョギングかなどの運動状態（運動の種類）を特定する。すなわち、ウォーキング時とジョギング時とでは、鉛直方向の加速度成分の大きさは、２倍から３倍ほどジョギング時の方が大きくなるため、これを利用し、鉛直方向の振幅値によって、使用者が行っている運動がウォーキングなのかジョギングなのかを判別する。この判別結果を示す情報を形成して、これを制御部１０に供給することにより制御部１０がこれを把握する。
【手続補正１６】
【補正対象書類名】明細書
【補正対象項目名】００４７
【補正方法】変更
【補正の内容】
【００４７】
なお、ここでは、使用者が行う運動の内、主にウォーキングとジョギングのどちらを行っているかを判別する場合を説明したが、縄跳びや自転車こぎなどの運動についても、運動情報センサ２３からの検出出力から、それらの運動を行った場合に特徴のある変化を検出することにより、どのような運動を行っているのかを判別することが可能である。また、運動状態の検出ができないものである場合には、キー操作部７０を通じて使用者が行う運動の種類を入力することも可能である。
【手続補正１７】
【補正対象書類名】明細書
【補正対象項目名】００５３
【補正方法】変更
【補正の内容】
【００５３】
通信Ｉ／Ｆ５０は、制御部１０と協働し、例えば、携帯電話網などを介してインターネット３００に接続し、データを送信したり、データを受信したりする処理を行う部分である。この通信Ｉ／Ｆ５０を通じて、インターネット３００に接続し、電子メールの送受信を行ったり、目的とする音楽データなど、種々のコンテンツデータをダウンロードしたりするなど、インターネット３００を通じての種々の情報の送受を行うことができるようにしている。
【手続補正１８】
【補正対象書類名】明細書
【補正対象項目名】００６７
【補正方法】変更
【補正の内容】
【００６７】
また、運動情報としての、歩行テンポや運動状態は、上述もしたように、運動情報センサである３軸の加速度センサからの検出出力を解析することによって、取得することが可能である。また、再生中のコンテンツのコンテンツＩＤは、制御部１０によって把握されているので、これを用いることになる。このように、この第１の実施の形態の通信端末装置が利用されている場合には、図３に示したような使用者の状態情報の履歴が、適宜のタイミングで取得されて、不揮発性メモリ１４に蓄積される。
【手続補正１９】
【補正対象書類名】明細書
【補正対象項目名】００６８
【補正方法】変更
【補正の内容】
【００６８】
そして、この第１の実施の形態の通信端末装置１００の使用者が、自分の現在の心理状態に合致した音楽データを他の通信端末装置から推薦してもらいたい場合には、キー操作部７０に対して所定の操作を行うと、これに応じて制御部１０は、生体情報センサ２１及び生体情報エンコーダ２２と運動情報センサ２３及び運動情報エンコーダ２４とを通じて最新に取得した生体情報と運動情報とを用いて、あるいは、不揮発性メモリ１４に最新に記録した状態情報の履歴の生体情報と運動情報とを用いて、コンテンツデータの推薦要求を形成し、これを送受信回路６１、送受信アンテナ６２を通じてネットワーク２００に送出し、当該ネットワーク２００に接続可能な通信端末装置のそれぞれに対して送出する。
【手続補正２０】
【補正対象書類名】明細書
【補正対象項目名】００７１
【補正方法】変更
【補正の内容】
【００７１】
また、抽出条件は、過去の情報を含めるようにすることも可能である。例えば、運動テンポに着目し、（１）同じ運動テンポである。（２）一定の範囲内で一致する運動テンポである。（３）以前の運動テンポが一致し、且つ現在の運動テンポも一致する。（４）以前の運動テンポが一定の範囲内で一致し、且つ、現在の運動テンポも一定の範囲内で一致する。などのように、現在の状態のみならず、過去の状態をも条件に含めるようにすることもできる。また、上述もしたように、（５）複数の生体情報が一致する。（６）複数の生体情報のうちの一部が一致する。というような条件を設定することも可能である。
【手続補正２１】
【補正対象書類名】明細書
【補正対象項目名】００７８
【補正方法】変更
【補正の内容】
【００７８】
このように、推薦要求に含まれる生体情報、運動情報、抽出条件に基づいて、これらに応じた生体情報、運動情報を含む状態情報の履歴を有する通信端末装置のそれぞれから、生体情報、運動情報、コンテンツＩＤ、装置ＩＤ（情報提供元の端末の端末ＩＤ）からなる関連情報が返信されてくるので、推薦情報の送信元の通信端末装置１００においては、これを順次受信して関連情報ＤＢ８２に蓄積することにより、各通信端末装置からの関連情報を蓄積し、自機において利用することができる。
【手続補正２２】
【補正対象書類名】明細書
【補正対象項目名】００８１
【補正方法】変更
【補正の内容】
【００８１】
図５は、通信端末装置１００の関連情報ＤＢ８２に蓄積された関連情報から得られる情報を、当該通信端末装置１００の使用者に通知するための表示例を説明するための図である。
【手続補正２３】
【補正対象書類名】明細書
【補正対象項目名】００８２
【補正方法】変更
【補正の内容】
【００８２】
上述もしたように、同程度の歩行テンポで運動している他の通信端末装置の使用者が複数おり、それらの使用者の内の複数の使用者が同じ音楽データを再生して利用していたことが関連情報ＤＢ８２の情報から把握できた場合には、図５Ａに示すように、同じ歩行テンポで走っている他の通信端末装置の使用者の人数（ｍ人）と、その場合に一番聞かれている音楽データのアーティスト名（×××）と曲名（Ａ）とを通知し、歩行テンポから判断して、当該通信端末装置１００の使用者の心理状態に適した音楽データは曲Ａであると推薦することができる。
【手続補正２４】
【補正対象書類名】明細書
【補正対象項目名】００８３
【補正方法】変更
【補正の内容】
【００８３】
また、上述もしたように、同程度の歩行テンポで運動している他の通信端末装置の使用者が複数存在する場合には、図５Ｂに示すように、それらの使用者の存在を、例えば、端末ＩＤを表示するなどして通知し、それらの使用者との間で通信を行うか否かの選択入力を受け付けて、例えば、指定された相手先との間で通話を行うようにしたり、テキストデータの送受を行うようにしたりするなどのことができる。
【手続補正２５】
【補正対象書類名】明細書
【補正対象項目名】０１０７
【補正方法】変更
【補正の内容】
【０１０７】
［情報提供要求を受信する通信端末装置の動作について］
次に、コンテンツデータの推薦要求や使用者の紹介要求などの情報提供要求を受信した通信端末装置の動作について説明する。図８は、情報提供要求を受信する通信端末装置における処理を説明するためのフローチャートである。
【手続補正２６】
【補正対象書類名】明細書
【補正対象項目名】０１１６
【補正方法】変更
【補正の内容】
【０１１６】
また、ステップＳ３０６の判断処理において、履歴情報が抽出できなかった（抽出すべき履歴情報がなかった）と判断したときには、返信すべき情報は無いので、何もすることなく、この図８に示す処理を終了する。
【手続補正２７】
【補正対象書類名】明細書
【補正対象項目名】０１１９
【補正方法】変更
【補正の内容】
【０１１９】
これにより、各通信端末装置の使用者は、自己の生体情報や運動情報に基づいて、自己の心理状態に応じたコンテンツデータの推薦を受けたり、自己の心理状態、身体状態に応じた他の通信端末装置の使用者の紹介を受けたりすることができる。
【手続補正２８】
【補正対象書類名】明細書
【補正対象項目名】０１２７
【補正方法】変更
【補正の内容】
【０１２７】
また、コンテンツデータの推薦の態様は、上述したように、推薦するコンテンツのアーティスト名やコンテンツ名（例えば曲名）を通知するのではなく、自機のコンテンツＤＢに推薦されたコンテンツデータが存在する場合には、それを再生するようにしてもよいし、また、コンテンツＩＤではなく、コンテンツデータそのものやコンテンツデータのダイジェスト版の提供を受けた場合には、これを再生するようにしてもよい。
【手続補正２９】
【補正対象書類名】明細書
【補正対象項目名】０１２９
【補正方法】変更
【補正の内容】
【０１２９】
そこで、この第２の実施の形態においては、インターネット上に各通信端末からの状態情報の履歴の提供を受けて、これを関連情報として管理するサーバ装置を設け、各通信端末装置は、このサーバ装置に対してのみコンテンツデータの推薦要求や使用者の紹介要求を送信することにより、当該サーバ装置から必要な情報の提供を受けることができるようにするものである。
【手続補正３０】
【補正対象書類名】明細書
【補正対象項目名】０１３７
【補正方法】変更
【補正の内容】
【０１３７】
制御部４１０は、図１０に示すように、ＣＰＵ４１１、ＲＯＭ４１２、ＲＡＭ４１３、不揮発性メモリ４１４とがＣＰＵバス４１５を通じて接続されることにより構成されたマイクロコンピュータであり、この第２の実施の形態のＤＢ管理サーバ４００の各部を制御するものである。
【手続補正３１】
【補正対象書類名】明細書
【補正対象項目名】０１７２
【補正方法】変更
【補正の内容】
【０１７２】
そして、使用者の紹介要求を送出した通信端末装置１００の制御部１０は、自機が送出した紹介要求に応じて、ＤＢ管理サーバ４００から返信されてくる紹介情報を受信し、これに基づいて関連情報ＤＢ８２を更新する（ステップＳ６０２）。ＤＢ管理サーバ４００は、これに接続可能とされている全ての通信端末装置１００（１）、１００（２）、１００（３）、…、１００（ｎ）からの状態情報の履歴を使用者別に管理しているので、その全てを考慮した紹介情報を形成することができ、要求元の通信端末装置１００は、ＤＢ管理サーバと通信を行うだけで、全ての通信端末装置１００（１）、１００（２）、１００（３）、…、１００（ｎ）のそれぞれから使用者の紹介情報を得た場合と同様の紹介情報を得ることができる。
【手続補正３２】
【補正対象書類名】明細書
【補正対象項目名】０１８２
【補正方法】変更
【補正の内容】
【０１８２】
ステップＳ７０４の判断処理において、受信した情報は情報提供要求ではないと判断したときには、受信した情報に応じた処理を実行し（ステップＳ７０５）、この後、ステップＳ７０１からの処理を繰り返すようにする。
【手続補正３３】
【補正対象書類名】明細書
【補正対象項目名】０１９３
【補正方法】変更
【補正の内容】
【０１９３】
【図１】第１の実施の形態の通信システムを説明するための図である。
【図２】この発明の一実施の形態が適用された通信端末装置を説明するためのブロック図である。
【図３】通信端末装置１００の不揮発性メモリ１４に蓄積される使用者の状態情報の履歴について説明するための図である。
【図４】通信端末装置１００の関連情報ＤＢ８２に蓄積される関連情報（提供情報）の一例を説明するための図である。
【図５】通信端末装置１００の使用者に通知するための情報の表示例を説明するための図である。
【図６】コンテンツデータの推薦要求を送信する通信端末装置の動作を説明するためのフローチャートである。
【図７】使用者の紹介要求を送信する通信端末装置の動作を説明するためのフローチャートである。
【図８】情報提供要求を受信する通信端末装置における処理を説明するためのフローチャートである。
【図９】この発明による情報提供システムの一実施の形態が適用された第２の実施の形態の通信システムを説明するための図である。
【図１０】ＤＢ管理サーバ４００を説明するためのブロック図である。
【図１１】状態情報の履歴をＤＢ管理サーバ４００に送信する通信端末装置１００の動作について説明するためのフローチャートである。
【図１２】コンテンツデータの推薦要求をＤＢ管理サーバ４０に送信する通信端末装置の動作を説明するためのフローチャートである。
【図１３】使用者の紹介要求を送信する通信端末装置の動作を説明するためのフローチャートである。
【図１４】ＤＢ管理サーバ４００の動作を説明するためのフローチャートである。
【手続補正３４】
【補正対象書類名】図面
【補正対象項目名】図４
【補正方法】変更
【補正の内容】
【図４】
2007207153.tif 000001